(57)【特許請求の範囲】
【請求項１】
円柱形状の軸部の軸方向に沿って形成されたスリット内に係止爪が形成されたスプールと、先端部が幅狭にトリミングされ、この先端部に係止爪に係合される係止孔が形成された遮光紙と、この遮光紙が少なくとも先端部に固定され、該軸部にロール状に巻き付けられる写真フイルムとからなる写真用ロールフイルムの製造装置において、
前記遮光紙の先端部をトリミングするダイセットに、係止孔の穿孔を同時に行う係止孔用のパンチとダイスとを組み込んだことを特徴とする写真用ロールフイルムの製造装置。
【請求項２】
前記係止孔の穿孔時に、係止孔用のパンチの先端をダイスの下面より２ｍｍの範囲内で突き出すようにしたことを特徴とする請求項１記載の写真用ロールフイルムの製造装置。
【請求項３】
前記係止孔用のパンチに、係止孔の穿孔時にエアーを吹き出して穿孔屑を吹き飛ばすエアー吹出し口を設けたことを特徴とする請求項１記載の写真用ロールフイルムの製造装置。
【請求項４】
前記係止孔の穿孔時に、係止孔用のパンチの先端をダイスの下面より２ｍｍの範囲内で突き出すようにし、かつ該パンチに係止孔の穿孔時にエアーを吹き出して穿孔屑を吹き飛ばすエアー吹出し口を設けたことを特徴とする請求項１記載の写真用ロールフイルムの製造装置。
【請求項５】
前記遮光紙をダイセットに向けて搬送する搬送経路上に、遮光紙の静電気を取り除く静電気除去装置を設けたことを特徴とする請求項１ないし４いずれか記載の写真用ロールフイルムの製造装置。
【発明の詳細な説明】
【０００１】
【発明の属する技術分野】
本発明は、写真用ロールフイルムの製造装置の改良に関するものである。
【０００２】
【従来の技術】
１２０，２２０タイプの写真用ロールフイルムは、円柱形状の軸部の両端に円板形状のフランジが一体に形成されたスプールと、このスプールの軸部に巻き付けられる帯状の写真フイルムと、この写真フイルムと一緒にスプールに巻き付けられて写真フイルムを遮光する遮光紙とから構成されている。この１２０，２２０タイプの写真用ロールフイルムのカメラへの装填は、カメラの巻取り用のスプールに、幅狭になるように斜めにカットされた遮光紙の先端を挿通して折り曲げ、遮光紙が巻き緩まないように押さえながら数周巻き付け、その状態でカメラにセットするという非常に難しいものであった。
【０００３】
１２０，２２０タイプの写真用ロールフイルムのカメラへの装填を容易に行えるようにするために、スリットの内部に係止爪が設けられたスプールと、先端に係止爪に係合される係止孔が設けられた遮光紙とを用いた写真用ロールフイルムが各種提案されている。また、スプールのスリットの内部には、遮光紙の係止孔が係止爪から不用意に外れないように押さえる押さえリブが一体に形成されている。
【０００４】
【発明が解決しようとする課題】
上記遮光紙を従来の製造ラインを用いて製造する場合、遮光紙の先端部のトリミングを行った後に、係止孔の穿孔を行うことになる。しかしながら、遮光紙の搬送時のズレや停止位置のズレ等によって先端部の外形形状に対する係止孔の位置にバラツキが発生してしまうことがある。これによれば、係止孔の位置ズレがひどい場合には、遮光紙を歪めたり折り曲げたりしなければ係止爪と係合させることができなくなり、またその係合も不確実なものとなる。
【０００５】
また、係止孔を打ち抜いた際に発生する穿孔屑は、穿孔時に確実に取り除かないと遮光紙とともにスプールに巻き付けられてしまうことがある。この穿孔屑は小さいため製造後の検査で発見することが難しく、穿孔屑が巻き込まれた写真用フイルムが販売されてしまうと、カメラ内で穿孔屑が写真フイルムの露光面まで移動して写し込まれたり、カメラの故障の原因となってしまう。更に、遮光紙には、原紙に遮光物質としてカーボンが漉き込まれた黒紙系のものと、原紙に遮光層が塗工された白紙系のものとがあるが、白紙系は特に帯電しやすいため、穿孔屑を付着させやすいという問題がある。
【０００６】
本発明は、遮光紙の先端形状に対する係止孔の寸法精度がよく、係止孔の穿孔屑を確実に除去することができる写真用ロールフイルムの製造装置を提供することを目的とする。
【０００７】
【課題を解決するための手段】
上記問題点を解決するために、請求項１記載の写真用ロールフイルムの製造装置は、遮光紙の先端部をトリミングするダイセットに、係止孔の穿孔を同時に行う係止孔用のパンチとダイスとを組み込んだものである。これによれば、遮光紙の先端部の外形形状に対する遮光孔の位置が常に一定する。
【０００８】
また、請求項２記載の写真用ロールフイルムの製造装置は、係止孔の穿孔時に、係止孔用のパンチの先端をダイスの下面より２ｍｍの範囲内で突き出すようにしたものである。これによれば、係止孔の穿孔屑と遮光紙とが確実に分離される。
【０００９】
更に、請求項３記載の写真用ロールフイルムの製造装置は、係止孔用のパンチに、係止孔の穿孔時にエアーを吹き出して穿孔屑を吹き飛ばすエアー吐出し口を設けたものである。これによれば、穿孔屑を遮光紙から確実に取り除くことができる。
【００１０】
また、請求項４記載の写真用ロールフイルムの製造装置は、係止孔の穿孔時に、係止孔用のパンチの先端をダイスの下面より２ｍｍの範囲内で突き出すようにし、かつ該パンチに係止孔の穿孔時にエアーを吹き出して穿孔屑を吹き飛ばすエアー吐出し口を設けたものである。
【００１１】
更に、請求項５記載の写真用ロールフイルムの製造装置は、遮光紙をダイセットに向けて搬送する搬送経路上に、遮光紙の静電気を取り除く静電気除去装置を設けたものである。これによれば、静電気による穿孔屑の付着を防止することができる。
【００１２】
【発明の実施の形態】
図５は、本発明の製造装置により製造される写真用ロールフイルムの外観を示すものである。写真用ロールフイルム２は、１２０タイプのもので、円柱形状の軸部３の両端に円板形状のフランジ４が設けられたスプール５と、このスプール５の軸部３に巻き付けられる帯状の写真フイルムである写真フイルムストリップ６（図７参照）と、この写真フイルムストリップ６のバック面側全体に裏紙として配置される遮光紙７とから構成されている。
【００１３】
スプール５は、フランジ４の端面にカメラのキー軸に係合されるチャッキング溝９が形成されている。また、図６に示すように、軸部３には細長いスリット１０が軸方向に沿って形成されており、スリット１０の一方の内壁面１０ａには、略Ｔ字型の係止爪１１が一体に形成されており、他方の内壁面１０ｂには係止爪１１を中心として一対の押さえリブ１２が一体に形成されている。
【００１４】
図７に示すように、遮光紙７は帯形状をしており、両端に、製造時にスプール５に係止される後端部７ａと、カメラへの装填時にカメラのスプールに係止される先端部７ｂとが形成されている。これら後端部及び先端部は、スプール５のスリット１０に挿入しやすいように、斜めにカットされてから幅狭にされている。先端部７ｂには、円形の係止孔１４が形成されている。そして、図８に示すように、遮光紙７の先端部７ｂがスプール５のスリット１０内に挿入されると、係止孔１４に係止爪１１が係合し、押さえリブ１２は係止孔１４と係止爪１１とが外れる方向に遮光紙７が移動しないように遮光紙７を押さえている。
【００１５】
写真フイルムストリップ６は、遮光紙７の先端から規定の距離をおいて、先端のみが接着テープ１６によって遮光紙７の裏面側に固定されている。この接着テープ１６には、写真フイルムストリップ６のサイズ，感度，フイルム種を表すバーコードが印刷されている。このバーコードは、例えばカメラ等に組み込まれた読取り装置で読み取って撮影に用いることができる。
【００１６】
また、遮光紙７の表面の先端側には、未使用時に遮光紙７の外側に巻かれて遮光紙が巻き緩むのを防止する開封テープ１８が、後端側には撮影終了後に遮光紙７の外側に巻かれて遮光紙７が巻き緩むのを防止する封印テープ１９が貼着されている。これら開封テープ１８及び封印テープ１９は、図中斜線で示す部分のみが遮光紙７に貼着されている。
【００１７】
図２は、上記写真用ロールフイルム２を製造する製造ラインの構成を示す概略図である。フイルム供給装置２１は、ロール状に巻かれた長尺の連続写真フイルム２２をフイルム搬送路２３に向けて供給するとともに、この連続写真フイルム２２に、サイズ，感度，フイルム種，ロットＮＯ．等の各種フイルム情報をサイドプリンタ２６でプリントする。フイルム供給装置２１とフイルム搬送路２３との間に配置されているカッター２４は、フイルム搬送路２３に向けて搬送される連続写真フイルム２２を一定長さごとに切断し、写真フイルムストリップ６に成形している。フイルム搬送路２３の下流側には、写真フイルムストリップ６の搬送方向の後端に、接着テープ１６を貼付する接着テープ貼付装置２５が配置されている。
【００１８】
遮光紙供給装置２７は、ロール状に巻かれた長尺の連続遮光紙２８と、この連続遮光紙２８を一定長さずつ引き出す定尺引出し部２９と、遮光紙７に成形された際に先端部７ｂと後端部７ａとになる部分にトリミングと、係止孔１４の穿孔とを行うダイセット３０とから構成されている。連続遮光紙２８は、遮光紙７が連続して印刷されたもので、製造時にスプール５に係止される後端側７ａを先頭にして搬送される。
【００１９】
定尺引出し部２９には、連続遮光紙２８の静電気を除去する静電気除去装置３２が配置されている。この静電気除去装置３２としては、金モールやメタリングテープ等による自己誘導型のものや、高電圧印加型静電除去装置等が用いられる。
【００２０】
遮光紙供給装置２７から連続遮光紙２８が送り込まれる遮光紙搬送路３４の下流側には、連続遮光紙２８の表面の所定の位置に封印テープ１９を貼付する封印テープ貼付装置３５が配置されている。また、その下流側には、連続遮光紙２８を所定の位置で切断して遮光紙７を形成するカッター３６が設けられている。
【００２１】
フイルム搬送路２３と遮光紙搬送路３４とは途中で合流して、フイルム巻取り装置３８に向かう。フイルム巻取り装置３８は、スプールターレット３９，スプール供給部４０，スプール位置決め機４１，フイルム巻込み機４２，遮光紙折込み機４３，開封テープ貼付機４４，検査機４５，集積搬送路４６から構成されている。
【００２２】
スプールターレット３９は、軸４８に回転自在に取り付けられており、図中時計方向に４５度ずつ間欠回転される。このスプールターレット３９には、８個のスプールホルダ４９が設けられている。各スプールホルダ４９が停止する位置は、スプール５に対して各種作業が行われる第１ステーションＳＴ１〜第７ステーションＳＴ７となっている。
【００２３】
第１ステーションＳＴ１は、別のラインで製造され搬送されてきたスプール５をスプール供給部４０から受け取ってスプールホルダ４９にセットする。第２ステーションＳＴ２は、スプール位置決め機４１によってスプール５のスリット１０の向きを位置決めする。
【００２４】
第３ステーションＳＴ３では、遮光紙７の後端７ａをスプール５のスリット１０に挿入させ、フイルム巻込み機４２によってスプール５をフイルム巻取り方向に回転させて、遮光紙７と写真フイルムストリップ６とを軸部３に巻き付ける。第４ステーションＳＴ４では、スプール５に巻き付けられた遮光紙７が巻き緩まないように押さえながら、遮光紙折込み機４３によって先端部７ｂを内側に折り込む。
【００２５】
また、第５ステーションＳＴ５では、開封テープ貼付機４４によって遮光紙７の外周に開封テープ１８を貼付する。第６ステーションＳＴ６では、検査機４５によって完成した写真用ロールフイルム２の外観検査を行う。第７ステーションＳＴ７では、スプールホルダ４９から写真用ロールフイルム２を取り外して、集積搬送路４６に排出する。
【００２６】
ダイセット３０の要部断面である図１に示すように、ダイセット３０はトリミング用のダイス５２，５３と、係止孔１４の穿孔用のダイス５４とが設けられた固定台５５と、この固定台５５の上方で上下方向に移動自在とされ、トリミング用のパンチ５６，５７と、先端が凹状の円弧形状とされた係止孔用のパンチ５８とが設けられた可動台５９と、固定台５５を保持するとともに、係止孔１４を穿孔した際に発生する穿孔屑とトリミングにより発生する打抜き屑とを内部に集積する支持台６０とからなる。
【００２７】
可動台５９は、連続遮光紙２８がダイセット３０内で搬送されて停止されると、カム機構やリンク機構，エアーシリンダ等の図示しない駆動機構によって下降される。図３に示すように可動台５９が下降すると、各パンチ５６〜５８が各ダイス５２〜５４と噛み合い、遮光紙７の先端部７ｂ及び後端部７ａの外形形状を形成するためのトリミングと、係止孔１４の穿孔とが同時に行われる。このように、外形のトリミングと係止孔１４の穿孔とを同時に行うので、遮光紙７の先端部７ｂの外形形状に対する係止孔１４の位置が常に一定する。
【００２８】
また、係止孔１４を穿孔した際に発生する穿孔屑６２と連続遮光紙２８とを確実に分離するために、穿孔時のパンチ５８はダイス５４の下面からＬだけ突き出されるようになっている。
【００２９】
更に、パンチ５８にはエアー通路６４が形成されており、このエアー通路６４に連結されたパイプ６５は図示しないエアポンプに接続されている。このエアポンプは、図４に示すように、可動台５９がトリミングと穿孔とを行ってから再び上昇しようとする際に作動し、パイプ６５とエアー通路６４とを介してエアーを吹き出して、穿孔屑６２をパンチ５８の先端から落下させる。
【００３０】
また、支持台６０の一方の側壁面にも、一端にエアポンプが接続されたパイプ６７が取り付けられている。このパイプ６７に接続されたエアポンプはエア吸引を行い、穿孔屑６２が確実に支持台６０内に落下するようにしている。
【００３１】
このように、ダイセット３０でトリミングと穿孔とが行われる連続遮光紙２８は、ダイセット３０に搬送される前に静電気除去装置３２によって静電気が除去され、先端部７ｂの外形のトリミングと係止孔１４の穿孔とが同時に行われ、係止孔用のパンチ５８をダイス５４の下面よりもＬだけ突出して穿孔屑６２と連続遮光紙２８とを確実に分離し、更に、パンチ５８からのエア吹き出しと、支持台６０内でのエア吸引とを行うことによって、先端部７ｂの外形形状に対する係止孔１４の位置を常に一定にすることができ、更に連続遮光紙２８への穿孔屑６２の付着を防止することができる。
【００３２】
【実施例】
以下に示す表１は、条件の異なるダイセット３０によって、異なる材質，状態の連続遮光紙２８に穿孔を行い、その際の連続遮光紙２８への穿孔屑６２の付着率を調査した結果を示すものである。なお、ダイセットＡは、パンチ５８の突出し量Ｌが−０．５ｍｍ，エアー吹出しが無し、ダイセットＢはパンチ５８の突出し量Ｌが１ｍｍ，エアー吹出しが無し、ダイセットＣはパンチ５８の突出し量Ｌが１ｍｍ，エアー吹出しが有りとなっている。更に、遮光紙Ａは、原紙にカーボンを漉き込んだ黒紙系であり、遮光紙Ｂは原紙に遮光層を設けた白紙系のもの、遮光紙Ｃは遮光紙Ｂと同じ白紙系のものに静電除去を行ったものとなっている。
【００３３】
【表１】
0003617736.tif 000002
【００３４】
上記表１に示すように、パンチ５８をダイス５４から突出させ、パンチ５８からエア吹き出しを行ったダイセット３０の効果が非常に大きいことが分かる。また、白紙系の遮光紙は帯電しやすく、その帯電量も１ｋｖを超えると穿孔屑６２の付着率が大幅に悪化するが、静電気除去装置３２によって静電気を除去すれば穿孔屑６２の付着を完全に防止することができる。
【００３５】
また、パンチ５８の突出し量Ｌは１ｍｍが最適であるが、２ｍｍの範囲内ならば同等の効果が得られる。ダイス５４の刃厚を２ｍｍとした場合、２ｍｍの範囲内のパンチ５８の突出し量Ｌを得るためには、パンチ５８がダイス５４に接した位置から可動台５９の下降量を２ｍｍ以上４ｍｍ以下とすればよい。更に、パンチ５８の直径が６ｍｍである場合には、パンチ５８の耐久性，エア吹出しの強さ等を考慮して、エア通路６４の内径は１〜３ｍｍが最適である。
【００３６】
更に、パンチ５８の先端形状は、穿孔屑６２が先端に詰まらない程度の円弧形状とするために、Ｒ６〜Ｒ３０が好ましい。また、パンチ５８の材質は、超硬，高速度鋼，ダイス鋼が適している。なお、パンチ５８の先端は、円弧形状の他にＶ字型の凹形状でもよい。
【００３７】
また、上記実施形態は、１２０タイプの写真用ロールフイルムの製造装置について説明したが、本発明は２２０タイプの写真用ロールフイルムの製造装置にも用いることができる。
【００３８】
【発明の効果】
以上説明したように、本発明の写真用ロールフイルムによれば、遮光紙の先端部をトリミングするダイセットに、係止孔の穿孔を行う係止孔用のパンチとダイスとを組み込んだので、トリミングと穿孔とを同時に行うことができ、先端部の外形形状に対する係止孔の寸法位置を常に一定にすることができる。
【００３９】
また、係止孔用のパンチの先端をダイスの下面より２ｍｍの範囲内で突き出すようにしたので、遮光紙と穿孔屑とを確実に分離できる。更に、係止孔用のパンチに、エアーを吹き出して穿孔屑を吹き飛ばすエアー吹出し口を設けたので、遮光紙への穿孔屑の付着を防止できる。
【００４０】
また、遮光紙をダイセットに向けて搬送する搬送経路上に、遮光紙の静電気を取り除く静電気除去装置を設けたので、遮光紙の帯電による穿孔屑の付着も防止できる。
【図面の簡単な説明】
【図１】ダイセットの不作動時の状態を示す要部断面図である。
【図２】写真用ロールフイルムの製造ラインの概略図である。
【図３】ダイセットの作動時の状態を示す要部断面図である。
【図４】ダイセットの穿孔屑吹き飛ばし時の状態を示す要部断面図である。
【図５】写真用ロールフイルムの外観を示す斜視図である。
【図６】スプールの要部斜視図である。
【図７】遮光紙及び写真フイルムストリップの平面図である。
【図８】遮光紙係止時のスプールの正面図である。
【符号の説明】
２  写真用ロールフイルム
３  軸部
５  スプール
６  写真フイルムストリップ
７  遮光紙
７ａ  後端部
７ｂ  先端部
１０  スリット
１１  係止爪
１４  係止孔
２７  遮光紙供給装置
３０  ダイセット
３２  静電気除去装置
【図１】
0003617736.tif 000003
【図２】
0003617736.tif 000004
【図３】
0003617736.tif 000005
【図４】
0003617736.tif 000006
【図５】
0003617736.tif 000007
【図６】
0003617736.tif 000008
【図７】
0003617736.tif 000009
【図８】
0003617736.tif 000010